(57)【要約】【課題】  パラメータ調整に要する煩雑さを減少させ、ユーザに快適な環境を提供することのできる画像補正装置と撮像装置および画像補正プログラムの提供。【解決手段】  候補パラメータ決定手段１０２が、パラメータ１０９の候補として４種類の候補パラメータを決定する。処理パラメータ制御手段１０８がセレクタ１０７を制御することで、例えば候補パラメータＡ  １０３を選択し、パラメータ１０９としてスペースバリアント階調変換手段１１０に供給する。スペースバリアント階調変換手段１１０は、入力画像１０１に対してパラメータ１０９に基づいた階調変換処理を施し、処理画像１１１を生成する。ユーザは、候補パラメータ決定手段１０２が決定したパラメータ１０９に基づく処理画像１１１を表示手段１１３上で複数確認して、希望の画質となるパラメータを選択する。【選択図】    図１
2006067155.tif 000002
【特許請求の範囲】
【請求項１】
入力画像の各個所において個別のトーンカーブを適用して階調変換を実現する画像補正装置であって、
階調変換の画質調整パラメータとして、複数の候補パラメータを決定する第１の候補パラメータ決定手段と、複数の処理画像を表示する表示手段を備え、前記候補パラメータを適用した複数の処理画像を前記表示手段に表示し、利用者がパラメータを選択することを特徴とする画像補正装置。
【請求項２】
入力画像の各個所において個別のトーンカーブを適用して階調変換を実現する画像補正装置であって、
階調変換の画質調整パラメータとして、第１の画質調整パラメータ群から複数の候補パラメータを決定する第２の候補パラメータ決定手段と、第２の画質調整パラメータ群のパラメータを利用者が入力するためのパラメータ入力手段と、複数の処理画像を表示する表示手段を備え、前記複数の候補パラメータそれぞれと前記利用者から入力されたパラメータを適用した複数の処理画像を前記表示手段に表示し、利用者がパラメータを選択することを特徴とする画像補正装置。
【請求項３】
前記第１および第２の候補パラメータ決定手段は、利用者がパラメータを選択することに応じて候補パラメータの設定範囲を変更することを特徴とする、請求項１または請求項２に記載の画像補正装置。
【請求項４】
入力画像の各個所において個別のトーンカーブを適用して階調変換を実現する撮像装置であって、
画像を撮影する撮影手段と、上記撮影された画像信号の前処理手段と、階調変換の画質調整パラメータとして、複数の候補パラメータを決定する第１の候補パラメータ決定手段と、複数の処理画像を表示する表示手段とを備え、前記候補パラメータを適用した複数の処理画像を前記表示手段に表示し、利用者がパラメータを選択することを特徴とする撮像装置。
【請求項５】
入力画像の各個所において個別のトーンカーブを適用して階調変換を実現する撮像装置であって、
画像を撮影する撮影手段と、上記撮影された画像信号の前処理手段と、階調変換の画質調整パラメータとして、第１の画質調整パラメータ群から複数の候補パラメータを決定する第２の候補パラメータ決定手段と、第２の画質調整パラメータ群のパラメータを利用者が入力するためのパラメータ入力手段と、複数の処理画像を表示する表示手段を備え、前記複数の候補パラメータそれぞれと前記利用者から入力されたパラメータを適用した複数の処理画像を前記表示手段に表示し、利用者がパラメータを選択することを特徴とする撮像装置。
【請求項６】
前記第１および第２の候補パラメータ決定手段は、利用者がパラメータを選択することに応じて候補パラメータの設定範囲を変更することを特徴とする、請求項４または請求項５に記載の撮像装置。
【請求項７】
コンピュータに、パラメータに初期値を設定する手順と、前記設定されたパラメータで入力画像を処理し複数の処理画像を表示処理する手順と、前記パラメータが決定されたかどうかを判定する手順と、前記表示された結果中からパラメータを決定した場合には、当該決定されたパラメータに基づく処理画像を保存処理する手順とを実行させる画像補正プログラム。
【請求項８】
コンピュータに、パラメータに初期値を設定する手順と、前記設定されたパラメータで入力画像を処理し複数の処理画像を表示処理する手順と、当該表示処理結果よりパラメータを更新するかを判定する手順と、表示された結果中からパラメータを決定するかを判定する手順と、パラメータを更新した場合には前記複数の処理画像を表示処理する手順に戻る手順と、表示された結果中からパラメータを決定した場合には、決定されたパラメータに基づく処理画像を保存処理する手順とを実行させる画像補正プログラム。
【請求項９】
コンピュータに、候補パラメータの設定範囲を変更する手順をさらに付加して実行させる請求項７または請求項８に記載の画像補正プログラム。
【発明の詳細な説明】
【技術分野】
【０００１】
本発明は、例えばデジタルカメラにおいて撮影された画像の階調変換特性の補正を行う画像補正装置と撮像装置、および画像補正プログラムに関するものである。
【背景技術】
【０００２】
従来デジタルカメラにおいては、撮影時にCCDまたはCCDとは別に設けた測光手段によって得られたデータから、絞り、CCDの露出時間、画像全体の階調変換を行っている。しかしながら、従来のデジタルカメラにおいては、明るいところに露出を合わせると、明るいところは正しく分解されるが、暗いところは正しく分解されず、また、暗いところに露出を合わせると、暗いところは正しく分解されるが、明るいところは正しく分解されないという問題がある。
【０００３】
この問題に対処する方法として、特許文献１では、画像の階調変換を行う際に、画像の各場所において異なる特性の階調変換特性を持ったスペースバリアントな階調変換を行うことにより、明るいところと暗いところの双方を分解する方法が開示されている。図７は、スペースバリアントな階調変換特性を説明する説明図である。図７に示した例では、画像を５個の領域に分割しており、各領域において異なる階調変換特性を持つ様子を示している。
【０００４】
各領域の接する部分においては、接する階調変換特性から補間演算によりなめらかに階調変換特性を変化させていくものとする。これにより、スペースバリアントな階調変換特性を実現することが可能となり、ユーザはより高度な画像加工を行うことができ、デジタルカメラ特有のラティチュードの少なさも改善することが可能となる。
【０００５】
【特許文献１】特開２００２−９４９９８号公報
【発明の開示】
【発明が解決しようとする課題】
【０００６】
しかしながら、以上説明したスペースバリアントな階調変換を用いての画像加工は、パラメータの調整が煩雑であるという問題がある。通常の階調変換においては、例えばユーザが、明るさ、あるいは、コントラストといったパラメータを変化させ、画像の変化を確認しながらパラメータの調整を行うことは容易である。ところが、スペースバリアントな階調変換においては、例えば、明るさやコントラストといったパラメータを各領域においてどのように階調変換特性に反映させるかによって、ユーザが操作するパラメータと、最終的な画像の変化との間に大きな違いが生ずる。また領域分割の状況によっても、ユーザが操作するパラメータと、最終的な画像の変化との間に違いが生ずる。このためユーザは所望の画像加工結果を得るために、領域分割の修正をするたびに、再度明るさやコントラストの調整を繰り返すと言った煩雑な作業を要するという問題があった。
【０００７】
本発明は上記問題点に鑑み、スペースバリアントな階調変換を実現する画像補正装置において、パラメータ調整に要する煩雑さを減少させ、ユーザに快適な環境を提供することのできる画像補正装置と撮像装置、および画像補正プログラムを提供することを目的とする。
【課題を解決するための手段】
【０００８】
(1)上記目的を達成するために、本発明の第１の実施形態にかかる画像補正装置は、
入力画像の各個所において個別のトーンカーブを適用して階調変換を実現する画像補正装置であって、
階調変換の画質調整パラメータとして、複数の候補パラメータを決定する第１の候補パラメータ決定手段と、複数の処理画像を表示する表示手段を備え、前記候補パラメータを適用した複数の処理画像を前記表示手段に表示し、利用者がパラメータを選択することを特徴とする。
【０００９】
この発明に関する実施の形態は、図１に示される第１の実施形態例が対応する。
（１）に記載の構成において、第１の候補パラメータ決定手段は、図１中の候補パラメータ決定手段１０２が該当する。また、複数の処理画像を表示する表示手段は、図１中の表示手段１１３が該当する。この発明の好ましい適用例は、図1に示されるような、候補パラメータを装置側が用意し、複数の処理画像をユーザに提示し選択させる画像補正装置である。
【００１０】
この発明は、スペースバリアントな階調変換を実現する画像補正装置において、候補パラメータを装置側が用意し、複数の処理画像をユーザに提示し選択させるものである。このような構成とすることにより、パラメータ調整に要する煩雑さを減少させ、ユーザに快適な環境を提供することができるという効果を得ることができる。
【００１１】
（２）本発明の第２の実施形態にかかる画像補正装置は、
入力画像の各個所において個別のトーンカーブを適用して階調変換を実現する画像補正装置であって、
階調変換の画質調整パラメータとして、第１の画質調整パラメータ群から複数の候補パラメータを決定する第２の候補パラメータ決定手段と、第２の画質調整パラメータ群のパラメータを利用者が入力するためのパラメータ入力手段と、複数の処理画像を表示する表示手段を備え、前記複数の候補パラメータそれぞれと前記利用者から入力されたパラメータを適用した複数の処理画像を前記表示手段に表示し、利用者がパラメータを選択することを特徴とする。
【００１２】
この発明に関する実施の形態は、図２に示される第２の実施形態例が対応する。
（２）に記載された構成の第２の候補パラメータ決定手段は、図２中の候補パラメータ決定手段２０１が該当する。また、パラメータ入力手段は、図２中のパラメータ入力手段２０６が該当し、複数の処理画像を表示する表示手段は図２中の表示手段２１１が該当する。さらに、第１の画質調整パラメータ群は、例えば、スペースバリアントな階調変換に特有なパラメータである、領域分割の細かさを設定するパラメータや、領域間での特性の変化の大きさを設定するパラメータが該当する。また、第２の画質調整パラメータ群は、明るさやコントラスト等、ユーザから見て値の変化と画質の変化の相関が分かりやすいものが該当する。
【００１３】
この発明の好ましい適用例は、図２に示されるような、スペースバリアント階調変換手段に供給するパラメータは、装置側が用意するパラメータとユーザが入力するパラメータの組み合わせとした画像補正装置である。この発明は、候補パラメータ決定手段にて決定された候補パラメータと、ユーザにより入力されたパラメータにより、スペースバリアントな階調変換処理を行い複数の処理結果を表示手段に表示する。ユーザに複数の処理結果の中から所望の結果を選択させることでパラメータを決定する。
【００１４】
このような構成とすることにより、スペースバリアントな階調変換を実現する画像補正装置において、候補パラメータを装置側が複数用意し、ユーザが入力したパラメータと組み合わせた複数の処理画像をユーザに提示し選択させることで、パラメータ調整に要する煩雑さを減少させ、ユーザに快適な環境を提供することのできるという効果を得ることができる。
【００１５】
（３）本発明の第１、第２の実施形態にかかる画像処理装置は、前記第１および第２の候補パラメータ決定手段は、利用者がパラメータを選択することに応じて候補パラメータの設定範囲を変更することを特徴とする。この発明に関する実施の形態は、図４に示される第３の実施形態例が対応する。（３）に記載された構成の候補パラメータの設定範囲を変更することとは、図５中のSTEP3-6の処理が該当する。
【００１６】
この発明は、候補パラメータ決定手段にて決定された候補パラメータと、ユーザにより入力されたパラメータにより、スペースバリアントな階調変換処理を行い複数の処理結果を表示手段に表示する。ユーザの選択に応じて、候補パラメータを選択結果の周辺に絞って再度処理結果を表示する。これを繰り返すことによりパラメータを決定する。
【００１７】
この構成により、スペースバリアントな階調変換を実現する画像補正装置において、候補パラメータを装置側が複数用意し、ユーザが入力したパラメータと組み合わせた複数の処理画像をユーザに提示し選択させることで、パラメータ調整に要する煩雑さを減少させ、ユーザに快適な環境を提供することのできるという効果を得ることができる。また、ユーザの選択に応じて候補パラメータの設定範囲を絞り込む処理をすることにより、ディスプレイが小さいために表示可能な画像数に制限があるような場合においても、適切なパラメータ調整を行うことが可能となる。
【００１８】
(４) 本発明の第１の実施形態にかかる撮像装置は、入力画像の各個所において個別のトーンカーブを適用して階調変換を実現する撮像装置であって、
画像を撮影する撮影手段と、上記撮影された画像信号の前処理手段と、階調変換の画質調整パラメータとして、複数の候補パラメータを決定する第１の候補パラメータ決定手段と、複数の処理画像を表示する表示手段とを備え、前記候補パラメータを適用した複数の処理画像を前記表示手段に表示し、利用者がパラメータを選択することを特徴とする。
【００１９】
この発明に関する実施の形態は、図６に示される第４の実施形態例と図１の実施形態例が対応する。上記構成の画像を撮影する撮影手段は、図６中のレンズ系５０１、ＣＣＤ５０２が、前処理手段は画像処理部５０３が、それぞれ該当する。また、第１の候補パラメータ決定手段は、図１中の候補パラメータ決定手段１０２が該当する。また、複数の処理画像を表示する表示手段は、図１中の表示手段１１３が該当する。
【００２０】
この発明の好ましい適用例は、図６に示された撮像装置である。この撮像装置は、図1に示されるように、候補パラメータを装置側が用意し、複数の処理画像をユーザに提示し選択させる画像補正を行う。この発明は、撮像装置の内部で、スペースバリアントな階調変換を実現する画像補正を行うものであり、候補パラメータを装置側が用意し、複数の処理画像をユーザに提示し選択させるものである。このような構成とすることにより、パラメータ調整に要する煩雑さを減少させ、ユーザに快適な環境を提供することのできる撮像装置が得られるという利点がある。
【００２１】
(５) 本発明の第２の実施形態にかかる撮像装置は、入力画像の各個所において個別のトーンカーブを適用して階調変換を実現する撮像装置であって、
画像を撮影する撮影手段と、上記撮影された画像信号の前処理手段と、階調変換の画質調整パラメータとして、第１の画質調整パラメータ群から複数の候補パラメータを決定する第２の候補パラメータ決定手段と、第２の画質調整パラメータ群のパラメータを利用者が入力するためのパラメータ入力手段と、複数の処理画像を表示する表示手段を備え、前記複数の候補パラメータそれぞれと前記利用者から入力されたパラメータを適用した複数の処理画像を前記表示手段に表示し、利用者がパラメータを選択することを特徴とする。
【００２２】
この発明に関する実施の形態は、図６に示される第４の実施形態例と、図２の実施形態例が対応する。上記構成の画像を撮影する撮影手段は、図６中のレンズ系５０１、ＣＣＤ５０２が、前処理手段は画像処理部５０３が、それぞれ該当する。また、第２の候補パラメータ決定手段は、図２中の候補パラメータ決定手段２０１が該当する。また、パラメータ入力手段は、図２中のパラメータ入力手段２０６が該当し、複数の処理画像を表示する表示手段は図２中の表示手段２１１が該当する。さらに、第１の画質調整パラメータ群は、例えば、スペースバリアントな階調変換に特有なパラメータである、領域分割の細かさを設定するパラメータや、領域間での特性の変化の大きさを設定するパラメータが該当する。また、第２の画質調整パラメータ群は、明るさやコントラスト等、ユーザから見て値の変化と画質の変化の相関が分かりやすいものが該当する。
【００２３】
この発明の好ましい適用例は、図６に示された撮像装置である。この撮像装置は、図２に示されるように、スペースバリアント階調変換手段に供給するパラメータは、装置側が用意するパラメータとユーザが入力するパラメータの組み合わせとしている。この発明は、候補パラメータ決定手段にて決定された候補パラメータと、ユーザにより入力されたパラメータにより、スペースバリアントな階調変換処理を行い複数の処理結果を撮像装置の表示手段に表示する。ユーザに複数の処理結果の中から所望の結果を選択させることでパラメータを決定する。
【００２４】
このような構成とすることにより、スペースバリアントな階調変換を実現する撮像装置において、候補パラメータを装置側が複数用意し、ユーザが入力したパラメータと組み合わせた複数の処理画像をユーザに提示し選択させることで、パラメータ調整に要する煩雑さを減少させる。このため、ユーザに快適な環境を提供することができる撮像装置が得られるという利点がある。
【００２５】
（６）本発明の第３の実施形態にかかる撮像装置は、入力画像の各個所において個別のトーンカーブを適用して階調変換を実現する撮像装置であって、前記第１および第２の候補パラメータ決定手段は、利用者がパラメータを選択することに応じて候補パラメータの設定範囲を変更することを特徴とする。
【００２６】
この発明の好ましい適用例は、図６に示された撮像装置である。この撮像装置は、図５のSTEP3-6に示されるように候補パラメータの設定範囲の変更処理を行う。このような構成とすることにより、スペースバリアントな階調変換を実現する撮像装置において、候補パラメータを装置側が複数用意し、ユーザが入力したパラメータと組み合わせた複数の処理画像をユーザに提示し選択させることで、パラメータ調整に要する煩雑さを減少させ、ユーザに快適な環境を提供することができる。また、ユーザの選択に応じて候補パラメータの設定範囲を絞り込む処理をすることにより、ディスプレイが小さいために表示可能な画像数に制限があるような場合においても、適切なパラメータ調整を行うことが可能となる。
【００２７】
（７）本発明の第1の実施形態にかかる画像補正プログラムは、コンピュータに、パラメータに初期値を設定する手順と、前記設定されたパラメータで入力画像を処理し複数の処理画像を表示処理する手順と、前記パラメータが決定されたかどうかを判定する手順と、前記表示された結果中からパラメータを決定した場合には、当該決定されたパラメータに基づく処理画像を保存処理する手順とを実行させることを特徴とする。
【００２８】
この発明に関する実施の形態は、図３に示される第1の実施形態例が対応する。（７）の構成のパラメータに初期値を設定する手順はSTEP1-1が、前記設定されたパラメータで入力画像を処理し複数の処理画像を表示処理する手順はSTEP1-2が、前記パラメータが決定されたかどうかを判定する手順はSTEP1-3が、前記表示された結果中からパラメータを決定した場合には、当該決定されたパラメータに基づく処理画像を保存処理する手順はSTEP1-4がそれぞれ該当する。
【００２９】
（８）本発明の第２の実施形態にかかる画像補正プログラムは、コンピュータに、パラメータに初期値を設定する手順と、前記設定されたパラメータで入力画像を処理し複数の処理画像を表示処理する手順と、当該表示処理結果よりパラメータを更新するかを判定する手順と、表示された結果中からパラメータを決定するかを判定する手順と、パラメータを更新した場合には前記複数の処理画像を表示処理する手順に戻る手順と、表示された結果中からパラメータを決定した場合には、決定されたパラメータに基づく処理画像を保存処理する手順とを実行させることを特徴とする。
【００３０】
この発明に関する実施の形態は、図４に示される第２の実施形態例が対応する。（８）の構成のパラメータに初期値を設定する手順はSTEP2-1が、前記設定されたパラメータで入力画像を処理し複数の処理画像を表示処理する手順はSTEP2-2が、当該表示処理結果よりパラメータを更新するかを判定する手順はSTEP2-3が、表示された結果中からパラメータを決定するかを判定する手順はSTEP2-4が、パラメータを更新した場合には前記複数の処理画像を表示処理する手順に戻る手順はSTEP2-3が、表示された結果中からパラメータを決定した場合には、決定されたパラメータに基づく処理画像を保存処理する手順はSTEP2-5がそれぞれ該当する。
【００３１】
（９）本発明の第３の実施形態にかかる画像補正プログラムは、（７）または（８）の画像補正プログラムに、候補パラメータの設定範囲を変更する手順をさらに付加して実行させることを特徴とする。この発明に関する実施の形態は、図５に示される第３の実施形態例が対応する。（９）の構成の候補パラメータの設定範囲を変更する手順はSTEP3-6が該当する。
【００３２】
（７）〜（９）の実施形態にかかる発明は、画像信号処理を画像補正プログラムによりコンピュータで実現させるものである。このため、迅速にしかも正確で高精度な画像信号処理を実現させることが可能となる。
【発明の効果】
【００３３】
本発明においては、パラメータ調整に要する煩雑さを減少させ、ユーザに快適な環境を提供することのできる画像補正装置と撮像装置、および画像補正プログラムが得られる。
【発明を実施するための最良の形態】
【００３４】
以下、本発明の実施の形態について図を参照して説明する。図１は第１の実施形態例の構成図、図３は第１の実施形態例のフローチャートである。図１により、第1 の実施形態例の構成を説明する。図１において、画像補正装置には、候補パラメータ決定手段１０２、セレクタ１０７、処理パラメータ制御手段１０８、スペースバリアント階調変換手段１１０、表示位置制御手段１１２、表示手段１１３が設けられている。
【００３５】
次に、図１の画像補正装置の動作について説明する。候補パラメータ決定手段１０２が、スペースバリアント階調変換手段１１０の動作を決定するパラメータ１０９の候補として、４種類の候補パラメータ（候補パラメータＡ  １０３、候補パラメータＢ  １０４、候補パラメータＣ  １０５、候補パラメータＤ  １０６）を決定する。
【００３６】
処理パラメータ制御手段１０８がセレクタ１０７を制御することで、最初に、４種類の候補パラメータから候補パラメータＡ  １０３を選択し、パラメータ１０９としてスペースバリアント階調変換手段１１０に供給する。スペースバリアント階調変換手段１１０は、入力画像１０１に対してパラメータ１０９に基づいた階調変換処理を施し、処理画像１１１を生成する。
【００３７】
表示位置制御手段１１２は、処理パラメータ制御手段１０８が指定する表示位置情報に基づき、処理画像１１１を表示手段１１３上の所定の位置、例えば処理画像Ａの位置に表示する。同様にして処理パラメータ制御手段１０８は、候補パラメータＢ  １０４、候補パラメータＣ  １０５、候補パラメータＤ  １０６を順次選択する。そして、選択された処理画像１１１を、表示位置制御手段１１２が所定の位置、例えば処理画像Ｂ、処理画像Ｃ、処理画像Ｄの位置に順次表示する。ユーザは、候補パラメータ決定手段１０２が決定したパラメータ１０９に基づく処理画像１１１を、表示手段１１３上で複数確認して希望の画質となるパラメータを選択する。
【００３８】
図３に、第１の実施形態例におけるユーザの操作過程を含めたフローチャートを示す。STEP1-1にてパラメータに初期値を設定する。STEP1-2にて設定されたパラメータで入力画像を処理し、複数の処理画像を表示処理する。STEP1-3でユーザがパラメータを決定するのを待ち、ユーザが表示された結果中からパラメータを決定した場合にはSTEP1-4で、決定されたパラメータに基づく処理画像を保存処理して、処理を終了する。
【００３９】
以上説明したように、図１のスペースバリアントな階調変換を実現する画像補正装置においては、候補パラメータを装置側が用意し、複数の処理画像をユーザに提示し選択させることで、パラメータ調整に要する煩雑さを減少させている。このため、ユーザに画像補正に関して、快適な環境を提供することができるという効果を得ることができる。
【００４０】
図２、図４は、本発明の第２の実施形態例に対応する。図２は第２の実施形態例の構成図、図４は第２の実施形態例のソフトウェアに関するフローチャートである。第２の実施形態例について、図２の構成図で説明する。図２において、画像補正装置には、候補パラメータ決定手段２０１、パラメータ入力手段２０６、合成手段２０８、表示手段２１１が設けられている。セレクタ１０７、処理パラメータ制御手段１０８、スペースバリアント階調変換手段１１０、表示位置制御手段１１２は、図１の構成と同じである。
【００４１】
第２の実施形態例においては、スペースバリアント階調変換手段に供給するパラメータは、装置側が用意するパラメータとユーザが入力するパラメータの組み合わせとする。次に、図２の画像補正装置の動作について説明する。候補パラメータ決定手段２０１が、スペースバリアント階調変換手段１１０の動作を決定するパラメータ２０９を構成する一部のパラメータの候補として、４種類の候補パラメータ（候補パラメータＥ  ２０２、候補パラメータＦ  ２０３、候補パラメータＧ  ２０４、候補パラメータＨ  ２０５）を決定する。
【００４２】
処理パラメータ制御手段１０８がセレクタ１０７を制御することで、最初に、４種類の候補パラメータから候補パラメータＥ  ２０２を選択し、合成手段２０８へ供給する。合成手段２０８は、ユーザがパラメータ入力手段２０６を介して入力した利用者入力パラメータ２０７と、候補パラメータＥ  ２０２を合成し、過不足のないパラメータ２０９としてスペースバリアント階調変換手段１１０に供給する。
【００４３】
スペースバリアント階調変換手段１１０は、入力画像１０１に対してパラメータ２０９に基づいた階調変換処理を施し、処理画像２１０を生成する。表示位置制御手段１１２は処理パラメータ制御手段１０８が指定する表示位置情報に基づき処理画像２１０を表示手段２１１上の所定の位置、例えば処理画像Ｅの位置に表示する。同様にして、処理パラメータ制御手段１０８は候補パラメータＦ  ２０３、候補パラメータＧ  ２０４、候補パラメータＨ  ２０５を順次選択し、処理画像２１０を表示位置制御手段１１２が所定の位置、例えば処理画像Ｆ、処理画像Ｇ、処理画像Ｈの位置に順次表示する。
【００４４】
ユーザは、候補パラメータ決定手段２０１が決定した候補パラメータと、ユーザ自らが入力したパラメータとの組み合わせからなるパラメータ２０９に基づく処理画像２１０を表示手段２１１上で複数確認して、希望の画質となるパラメータを選択する。ユーザが入力するパラメータとしては、明るさやコントラスト等、ユーザから見て値の変化と画質の変化の相関が分かりやすいものが望ましい。
【００４５】
一方、装置側で提示する候補パラメータとしては、スペースバリアントな階調変換に特有なパラメータである、領域分割の細かさを設定するパラメータや、領域間での特性の変化の大きさを設定するパラメータ等を設定する。これらのパラメータは、画質に対する影響は大きいものの、ユーザから見て、パラメータ値の変化と画質の変化の相関が分かりにくいため、装置側で複数の候補パラメータを選択してユーザに提示することが望ましい。
【００４６】
図４に第２の実施形態におけるユーザの操作過程を含めたフローチャートを示す。STEP2-1にてパラメータに初期値を設定する。パラメータにはユーザが入力するパラメータと装置側で設定する候補パラメータの双方を含む。STEP2-2にて設定されたパラメータで入力画像を処理し、複数の処理画像を表示処理する。STEP2-3とSTEP2-4でユーザがこの表示処理結果を見て、ユーザパラメータを更新するか表示された結果中からパラメータを決定するかの処理を行う。ユーザがユーザパラメータを変更した場合にはSTEP2-2に戻り、再度新たなパラメータでの処理を行う。ユーザが表示された結果中からパラメータを決定した場合にはSTEP2-5で、決定されたパラメータに基づく処理画像を保存処理して終了する。
【００４７】
以上説明したように、スペースバリアントな階調変換を実現する第２の画像補正装置においては、候補パラメータを装置側が複数用意し、ユーザが入力したパラメータと組み合わせた複数の処理画像をユーザに提示し選択させる。このような処理を行うことにより、パラメータ調整に要する煩雑さを減少させ、ユーザに画像補正する際の快適な環境を提供することのできるという効果を得ることができる。
【００４８】
図５は、第３の実施形態例におけるフローチャートである。本発明の第３の実施形態例について説明する。STEP3-1にてパラメータに初期値を設定する。パラメータには、ユーザが入力するパラメータと装置側で設定する候補パラメータの双方を含む。STEP3-2にて設定されたパラメータで入力画像を処理し、複数の処理画像を表示処理する。STEP3-3、STEP3-4とSTEP3-5でユーザがこの表示処理結果を見て、ユーザパラメータを更新するか、表示された結果中から処理結果を１個選択し、そのパラメータの周辺で候補パラメータを選びなおして選択する行為を続けるか、あるいは、表示された結果中から処理結果を１個選択しそれを最終決定とするかという判定処理を行う。
【００４９】
ユーザがユーザパラメータを変更した場合にはSTEP3-2に戻り、再度新たなパラメータでの処理を行う。表示された結果中から処理結果を１個選択したがこれが最終決定でない場合には、STEP3-6で候補パラメータの設定範囲を選択されたパラメータの周辺に絞り、STEP3-7にて本選択範囲内で複数の候補パラメータを決定して、STEP3-2に戻り新たなパラメータでの処理を行う。表示された結果中から処理結果を１個選択しこれが最終決定の場合には、STEP3-8で決定されたパラメータに基づく処理画像を保存処理して終了する。
【００５０】
以上説明したように、第３の実施形態例においては、スペースバリアントな階調変換を実現する画像補正装置において、候補パラメータを装置側が複数用意し、ユーザが入力したパラメータと組み合わせた複数の処理画像をユーザに提示し選択させることで、パラメータ調整に要する煩雑さを減少させ、ユーザに画像補正の際の快適な環境を提供することができるという効果を得ることができる。また、ユーザの選択に応じて、候補パラメータの設定範囲を絞り込む処理をすることにより、ディスプレイが小さいために表示可能な画像数に制限があるような場合においても、適切なパラメータ調整を行うことが可能となる。
【００５１】
図６は第４の実施形態例の構成図である。本発明の第４の実施形態例について説明する。第４の実施形態例においては、第１から第３の実施形態例において説明した画像補正装置を、デジタルカメラ内に組み込んだ構成となっている。レンズ系５０１、ＣＣＤ５０２を介して撮影された画像信号は、ホワイトバランス処理やノイズ除去処理、色変換処理等を含む画像処理部５０３にて加工されてフレームメモリ５０４に格納される。第１から第３の実施の形態例において説明した構成の画像補正部５０５にて、この画像信号を階調変換処理し、４個の処理画像をＬＣＤ５０７上に表示する。ユーザは、ボタン入力手段５０６を通じて、パラメータの選択等を行う。
【００５２】
図６において、画像処理部５０３は、画像信号を階調変換処理する際の前処理手段として機能する。また、画像補正部５０５は、図１、図２、図５で説明したようなそれぞれの画像補正を行う。したがって、図６に記載した撮像装置の構成は、図１、図２、図５で説明した画像補正処理を撮像装置により行う構成に置き換えることができる。
【産業上の利用可能性】
【００５３】
以上説明したように、本発明によれば、パラメータ調整に要する煩雑さを減少させ、ユーザに快適な環境を提供することができる画像補正装置と撮像装置および画像補正プログラムを提供することができる。
【図面の簡単な説明】
【００５４】
【図１】第１の実施形態例の構成図である。
【図２】第２の実施形態例の構成図である。
【図３】第１の実施形態例のソフトウェアに関するフローチャートである。
【図４】第２の実施形態例のソフトウェアに関するフローチャートである。
【図５】第３の実施形態例のソフトウェアに関するフローチャートである。
【図６】第４の実施形態例の構成図である。
【図７】階調変換特性の説明図である。
【符号の説明】
【００５５】
１０２・・・候補パラメータ決定手段、１０７・・・セレクタ、１０８・・・処理パラメータ制御手段、１１０・・・スペースバリアント階調変換手段、１１２・・・表示位置制御手段、１１３、２１１・・・表示手段、２０１・・・候補パラメータ決定手段、２０６・・・パラメータ入力手段、２０８・・・合成手段
【図１】
2006067155.tif 000003
【図２】
2006067155.tif 000004
【図３】
2006067155.tif 000005
【図４】
2006067155.tif 000006
【図５】
2006067155.tif 000007
【図６】
2006067155.tif 000008
【図７】
2006067155.tif 000009